(57)【要約】【課題】簡単な空気流の制御で、排出紙と積載面、排出紙と積載紙との吸着を防止するととともに、用紙の排出品質及び積載品質を向上させる。【解決手段】搬送されてくる用紙を積載する用紙積載トレイＴと、排出紙Ｐ２と用紙積載トレイＴ上に積載された積載紙Ｐ１との間に空気を送り込むダクトＦ１、送風ファンＦ２、複数の可動ルーバＬと、送風ファンＦ２によって送り込まれる空気の流れ方向又は空気を流す位置を制御し、前記間に流れる空気量を減少させるＣＰＵと、を備え、ＣＰＵは可動ルーラＬの角度を排出紙Ｐ２の用紙積載トレイＴへの排出量に応じて制御し、前記方向又は位置を変更する。【選択図】図１２
2013180838.tif 000002
【特許請求の範囲】
【請求項１】
搬送されてくる用紙を積載する積載手段と、
排出紙と前記積載手段との間、あるいは前記排出紙と前記積載手段上に積載された積載紙との間に空気を送り込む送風手段と、
前記送風手段によって送り込まれる空気の流れ方向又は空気を流す位置を制御し、前記間に流れる空気量を減少させる制御手段と、
を備えた用紙積載装置。
【請求項２】
請求項１に記載の用紙積載装置であって、
前記送風手段は複数の可動ルーバを備え、
前記制御手段は前記可動ルーバの角度を制御し、前記方向又は位置を変更すること
を特徴とする用紙積載装置。
【請求項３】
請求項２に記載の用紙積載装置であって、
前記制御手段は前記排出紙の前記積載手段への排出量に応じて前記方向又は位置を変更すること
を特徴とする用紙積載装置。
【請求項４】
請求項３に記載の用紙積載装置であって、
前記制御手段は前記排出量に応じて前記方向又は位置を変更する速度を変化させること
を特徴とする用紙積載装置。
【請求項５】
請求項２に記載の用紙積載装置であって、
前記制御手段は前記排出紙の排出速度に応じて前記方向又は位置を変更すること
を特徴とする用紙積載装置。
【請求項６】
請求項５に記載の用紙積載装置であって、
前記制御手段は前記排出速度に応じて前記方向又は位置を変更する速度を変化させること
を特徴とする用紙積載装置。
【請求項７】
請求項１ないし６のいずれか１項に記載の用紙積載装置であって、
前記制御手段は前記排出紙の用紙情報に応じて前記方向又は位置を変更すること
を特徴とする用紙積載装置。
【請求項８】
請求項７に記載の用紙積載装置であって、
前記制御手段は前記用紙情報に基づいて前記方向又は位置を変更する際に前記送風手段から送風される風量を減少させること
を特徴とする用紙積載装置。
【請求項９】
請求項１ないし８のいずれか１項に記載の用紙積載装置を備えていること
を特徴とする画像形成システム。
【請求項１０】
搬送されてくる用紙を積載手段に積載する積載工程と、
排出紙と前記積載手段との間、あるいは前記排出紙と前記積載手段上に積載された積載紙との間に送風手段によって空気を送り込み、両者を分離した状態で前記排出紙を排出させる排出工程と、を備え、
前記排出工程では、前記排出紙の前記積載手段への排出量、前記排出紙の前記積載手段への排出速度、又は前記排出紙の用紙情報のいずれかに基づいて前記送風手段によって送り込まれる空気の流れ方向又は空気を流す位置を変更し、前記間に流れる空気量を減少させること
を特徴とする用紙積載方法。
【発明の詳細な説明】
【技術分野】
【０００１】
この発明は、用紙積載装置、画像形成システム及び用紙積載方法に係り、特に、搬入された用紙、記録紙、転写紙、ＯＨＰシートなどのシート状記録媒体（本明細書では、単に「用紙」と称す）を排紙時に積載する際に風を送って積載する用紙積載装置、この用紙積載装置を備えた画像形成システム、前記用紙積載装置で実行される用紙積載方法に関する。
【背景技術】
【０００２】
従来から、画像形成装置から排出された用紙に対して種々の処理、例えば、整合、綴じ、折り、製本などの後処理を行う用紙処理装置、ここでは後処理を行うことから用紙後処理装置と称される装置が知られ、広く使用されている。近年、この種の用紙後処理装置に要求される用紙対応力の幅が格段に広がってきている。特に、カラー画像形成装置においてはカタログ、チラシ等に画像映えのするコートされた用紙（以下、コート紙と称する。）へのプリント比率が高くなっているが、コート紙は一般的に
１）表面平滑度が高い。  
２）用紙間密着力が高い。  
３）クラーク剛度が低い。  
という特徴を有する。そのため、これらの特徴が原因となってコート紙の積載性を悪化させる場合がある。すなわち、コート紙など表面平滑度の高い用紙あるいは帯電しやすい用紙を排出して積載する際、排出紙が排出中に積載手段の積載面や積載紙と吸着してしまい、排出紙が座屈し、あるいは積載紙を押し出して積載性を悪化させてしまう場合がある。
【０００３】
そこで、このような積載性の悪化を防ぐため、例えば、積載トレイ上に補助トレイを載せてから用紙を排出させ、排出紙と積載面との接触面積を減らして吸着を抑えるという方法がとられていた。しかし、この方法だとユーザが排出紙の種類に応じて補助トレイを載せなければならず手間がかかることになる。
【０００４】
このような手間を省き、かつ吸着を抑える技術として、例えば特許文献１（特開２０１０−１３２３７２号公報）に記載された発明が知られている。この発明は、トナー像が定着されて画像形成が終了した記録媒体を排出する排紙手段と、記録媒体が排出される排紙トレイと、排紙手段の上部及び下部に設けられて排紙トレイ上に気流を生成する上部ファン及び下部ファンと、上部ファン及び下部ファンの回転を制御する回転制御手段とを備え、前記回転制御手段は、排紙トレイ上に排出される記録媒体の位置に応じて、上部ファン及び下部ファンの回転を制御する機能を備えたものである。
【０００５】
この発明では、さらに、前記回転制御手段は、排紙手段が前記記録媒体を排出中のときは、下部ファンを排紙トレイ側に送風するように回転させ、あるいは、前記排紙手段が記録媒体を排出し終えたときは、下部ファンの回転を停止させ、上部ファンを排紙トレイ側に送風するように回転させるようになっている。また、前記回転制御手段は、記録媒体の厚み、サイズ、あるいは記録媒体搬送速度に応じて上部ファン及び下部ファンの回転数を変化させるようになっている。
【発明の概要】
【発明が解決しようとする課題】
【０００６】
このように特許文献１記載の発明では、送風装置を用いて排出紙と積載紙との間に空気を送り込み、排出紙を伸ばして排出し、積載性を良くするように意図されているが、排出後は排出紙と積載紙との間の空気を吸引し、あるいは排出紙の落下方向に送風するというように複雑な制御が必要であり、また、落下中の用紙の姿勢を制御するのが難しかった。
【０００７】
そこで、本発明が解決しようとする課題は、簡単な空気流の制御で、排出紙と積載面、排出紙と積載紙との吸着を防止するととともに、用紙の排出品質及び積載品質を向上させることにある。
【課題を解決するための手段】
【０００８】
前記課題を解決するため、本発明は、搬送されてくる用紙を積載する積載手段と、排出紙と前記積載手段との間、あるいは前記排出紙と前記積載手段上に積載された積載紙との間に空気を送り込む送風手段と、前記送風手段によって送り込まれる空気の流れ方向又は空気を流す位置を制御し、前記間に流れる空気量を減少させる制御手段と、を備えたことを特徴とする。
【発明の効果】
【０００９】
本発明によれば、簡単な空気流の制御で、排出紙と積載面、排出紙と積載紙との吸着を防止するととともに、用紙の排出品質及び積載品質を向上させることができる。
【図面の簡単な説明】
【００１０】
【図１】本発明の実施形態に係る画像形成システムにおいて排出紙が排出されているときの状態を示す図である。
【図２】本発明の実施形態に係る画像形成システムにおいて排出紙が積載紙に吸着されて排出されているときの状態を示す図である。
【図３】本発明の実施形態に係る画像形成システムにおいて排出紙が積載紙を押し出しながら排出されているときの状態を示す図である。
【図４】本発明の実施形態における送風機構を示す図で、排出紙の排出初期の状態を示す。
【図５】本発明の実施形態における送風機構を示す図で、排出紙の排出終期の状態を示す。
【図６】排出紙の排出時に空気を送り出す方向を変更して空気量を減少させるときの動作を示す動作説明図である。
【図７】排出紙の排出時に空気を送り出す位置を変更して空気量を減少させるときの動作を示す動作説明図である。
【図８】空気流を発生させる具体的な例について示す図で、用紙積載装置の平面図である。
【図９】空気流を発生させる具体的な例について示す図で、用紙積載装置の正面図である。
【図１０】図８からダクト、送風ファン、可動ルーバを抽出して示す平面図である。
【図１１】可動ルーバの可動機構と動作を示す平面図である。
【図１２】図９のように構成した用紙積載装置における用紙排出時の各部の状態を示す正面図である。
【図１３】図６の例に対応するもので、空気の送風方向を変更するときの動作を示す図である。
【図１４】図７の例に対応するもので、空気の送風位置を変更するときの動作を示す図である。
【図１５】本発明の実施形態に係る画像形成システムの制御構成を示すブロック図である。
【図１６】実施例１における制御手順を示すフローチャートである。
【図１７】実施例２における制御手段を示すフローチャートである。
【図１８】実施例３における制御手順を示すフローチャートである。
【図１９】実施例４における制御手順を示すフローチャートである。
【発明を実施するための形態】
【００１１】
本発明は、排出中の用紙と積載面あるいは積載紙との間に空気を送り込み、排出紙と積載紙との接触をできるだけ回避させて、お互いが吸着することを防止し、排出紙の排出性を向上させることを特徴とする。また、本発明は、排出後の排出紙と積載面との間の空気、あるいは排出紙と積載紙との間の空気を抜けやすくし、排出紙が積載面あるいは積載紙上に落下しやすくして積載性を向上させることを特徴とする。以下、本発明の実施形態について、図面を参照しながら詳細に解説する。
【００１２】
図１ないし図３は本発明の実施形態に係る画像形成システムの要部を示す図である。図１において、本実施形態に係る画像形成システムは、画像形成装置ＰＲと用紙積載装置ＳＫとから構成されている。画像形成装置ＰＲは電子写真方式、インクジェット方式などの公知のプリントエンジンを備えた公知のものである。画像形成装置ＰＲは、画像が形成された用紙を排紙口ＰＲ１から排紙する。この排紙口ＰＲ１と対向した位置に用紙積載装置ＳＫの用紙搬入口ＳＫ１が開口し、この用紙搬入口ＳＫ１から用紙搬出口ＳＫ２へと続く用紙搬送経路ＳＫ３が形成されている。
【００１３】
用紙搬送経路ＳＫ３には搬送方向上流側と下流側に第１及び第２の搬送ローラＲ１，Ｒ２対がそれぞれ設けられている。また、用紙搬出口ＳＫ２のさらに下流側に用紙積載トレイＴが設けられている。用紙積載トレイＴは、図示しない駆動機構によって昇降可能であり、用紙の積載量に応じて下降し、積載された用紙束を取り出すと上昇して、常に用紙搬出口ＳＫ２からの距離が一定の範囲内に位置するように制御される。用紙積載装置ＳＫは画像形成装置ＰＲの排紙口ＰＲ１から排紙される用紙を、用紙搬入口ＳＫ１を介して第１の搬送ローラＲ１で受け取り、下流へ搬送し、第２の排紙ローラＲ２によって用紙積載トレイＴ上へ排出し、用紙積載トレイ上に積載する。排出される用紙の表面平滑度が高い用紙であると、図２に示すように排出紙Ｐ２と用紙積載トレイＴ、若しくは積載紙Ｐ１とが吸着してしまい、腰砕けの状態になって排出不良が発生する場合がある。また、図３に示すように摩擦あるいは吸着により積載紙Ｐ１を排出紙Ｐ２によって押し出してしまい積載不良が発生する場合もある。
【００１４】
図４及び図５は本実施形態における送風機構を示す図で、図４は排出紙の排出初期の状態を、図５は排出終期の状態をそれぞれ示す。送風機構はダクトＦ１、送風ファンＦ２及び送風ファンＦ２を駆動する図示しない駆動モータを含む。ダクトＦ１は図４及び図５に示すように、排出紙Ｐ２の下面と積載面Ｐ１ａとの間に空気を送り込むように配置されている。この実施形態では、第２の搬送ローラＲ２の下側のローラの配置部分から空気が用紙積載トレイＴの積載面Ｐ１ａに対して平行に流れる（矢印Ｄ１方向）ように設定されている。この状態で、送風ファンＦ２を駆動してダクトＦ１に空気を送り込むと、排出紙Ｐ２と用紙積載トレイＴあるいは積載紙Ｐ１との間に空気層が形成されるので、両者が接触しにくくなる。これにより排出紙Ｐ２と用紙積載トレイＴあるいは積載紙Ｐ１とが吸着して起こる排出不良あるいは積載不良を防止することができる。
【００１５】
しかし、排出紙Ｐ２が第２の排紙ローラＲ２対のニップを通過した後も排出紙Ｐ２と用紙積載トレイＴ、若しくは積載紙Ｐ１との間に空気を送り込んだままであると、排出紙Ｐ２が積載面Ｐ１ａに落下し難くなることに加え、気流によって飛ばされ、あるいは落下位置が定まらずに積載不良が発生する場合がある。これを防止するために、排出紙Ｐ２が第２の排紙ローラＲ２対のニップを抜けた後には、排出紙Ｐ２と用紙積載トレイＴ、若しくは積載紙Ｐ１との間に送り込む空気量を減少させる。これにより排出紙Ｐ２の重力による落下を妨げないようにすることができる。
【００１６】
図６及び図７は空気量を減少させる方法の２つの異なる例を説明するための用紙積載装置ＳＫの平面図である。すなわち、空気量を減少させる方法として、単純に送り込む空気量を減少させる方法の他に、送り方向を図６に示すように同図（ａ）の搬送方向と平行な方向（矢印Ｄ２方向）から同図（ｂ）の矢印Ｄ３方向及び同図（ｃ）の矢印Ｄ４方向として示すように搬送方向に対して順次外側に向ける方法がある。また、他の例として、図７（ａ）の矢印Ｄ５方向から同図（ｂ）の矢印Ｄ６方向及び同図（ｃ）のＤ７方向のように送り位置を排出紙Ｐ２の外側に逃がす方法がある。いずれにしても、同一の送風量で排出紙Ｐ２と用紙積載トレイＴ、若しくは排出紙Ｐ２と積載紙Ｐ１との間の空気を排出紙Ｐ２の外側に逃がし、両者間に送り込む空気量を減少させることができる。
【００１７】
図８及び図９は図６及び図７に示した空気流を発生させる具体的な例について示す図で、図８は用紙積載装置ＳＫの平面図、図９は正面図である。空気流を制御するため、本実施形態では、送風ファンＦ２の下流側のダクトＦ１の送風経路に可動ルーバＬを設ける。可動ルーバＬは、これらの図に示すように排出紙Ｐ２と積載面Ｐ１ａ、若しくは排出紙Ｐ２と積載紙Ｐ１との間に空気を送り込むダクトＦ１の出口に設置される。なお、図９において、符号ＳＮ１は用紙搬送経路ＳＫ３に設けられ、用紙の搬送状態を検知する搬送センサ、符号ＳＮ２は可動ルーバＬのホームポジションを検知するための位置検知センサである。図１０は図８からダクトＦ１、送風ファンＦ２、可動ルーバＬを取り出して示す平面図である。
【００１８】
これらの図において、送風ファンＦ２は同軸上の図示しないモータによって駆動される。可動ルーバＬのそれぞれは制御用のパルスモータＭの駆動をモータ軸上のギヤＧ１が可動ルーバＬの回転軸上のギヤＧ２へ伝達することにより角度の制御が可能となっている。なお、パルスモータＭは図示しないモータドライバを介してＣＰＵ１０１によって駆動制御される。
【００１９】
図１１は可動ルーバＬの詳細を示す平面図である。同図に示すように可動ルーバＬの回転軸上のギヤＧ２の一部には位置検知用のフィラーＬ１が設けられており、このフィラーＬ１を位置検知センサＳＮ２によって検知することができる。この例では、フィラーＬ１の検出開始位置が可動ルーバＬのホームポジションに設定されている。このようにホームポジションが検知できることから、パルスモータＭの駆動パルス制御によって図１１（ａ）のホームポジションを基準として図１１（ｂ）に示すように可動ルーバＬの回転角度を精度良く制御することができる。
【００２０】
図９のように搬送センサＳＮ１を設けると、排出紙Ｐ２が用紙積載トレイＴ側に排出される際、用紙搬送経路ＳＫ３上で用紙検知が可能なので、用紙の先端あるいは後端を検知してからの時間の情報を得ることができる。また、第２の排紙ローラＲ２を駆動しているモータのパルス、若しくは排出速度情報から排出紙Ｐ２の排出量を得ることができる。これにより排出紙Ｐ２が排出され始めてから排出完了されるまでの排出紙Ｐ２の挙動若しくは状態が分かるので、排出紙Ｐ２の移動に合わせて排出紙Ｐ２と用紙積載トレイＴ、あるいは排出紙Ｐ２と積載紙Ｐ１との間に送り込む気流の方向あるいは気流を送り込む位置を外側に逃がして行くことができる。
【００２１】
図１２は図９のように構成した用紙積載装置ＳＫにおける用紙排出時の各部の状態を示す正面図である。同図から分かるように、排出紙Ｐ２が第２の排紙ローラＲ２対から排出される際、送風ファンＦ２が回転し、可動ルーバＬの回転角度に応じて送風方向が制御される。図１３（ａ）は図６の例に対応するもので、排出紙Ｐ２の搬送方向の中心線Ｃ方向若しくは内側に向けて送風されている状態を、図１３（ｂ）は中心線Ｃ方向より外側に向けて送風されている状態をそれぞれ示す。これらから分かるように、可動ルーバＬの回転角に応じて送風方向は任意に設定することができる。また、排出紙Ｐ２の移動量に応じて送風方向を変化させることも容易に行える。
【００２２】
図１４は図７の例に対応するもので、可動ルーバＬの開閉位置及び開閉の組み合わせを図１４（ａ），（ｂ），（ｃ）のように変更することにより送風位置を制御することができる。
【００２３】
図１５は本実施形態に係る画像形成システムの制御構成を示すブロック図である。
【００２４】
同図において、画像形成装置ＰＲの制御はＣＰＵ１１１、ＲＯＭ１１２、ＲＡＭ１１３、不揮発ＲＡＭ１１４、シリアルインターフェース（以下、シリアルＩ／Ｆと称す）１１５、タイマ１１６などを内蔵した画像形成装置制御部１１０によって実行される。用紙積載装置ＳＫの制御は、ＣＰＵ１０１、ＲＯＭ１０２、ＲＡＭ１０３、シリアルＩ／Ｆ１０４、タイマ１０５などを内蔵した用紙積載装置制御部１００によって実行される。画像形成装置制御部１１０と用紙積載装置制御部１００は、それぞれシリアルＩ/Ｆ１１５及び１０４を介して用紙積載制御に必要なコマンドを送受する。
【００２５】
画像形成装置ＰＲの制御のためのプログラムコードはＲＯＭ１１２に格納され、ＣＰＵ１１１はプログラムコードをＲＡＭ１１３に展開し、制御に必要なデータをＲＡＭ１１３に記憶し、当該ＲＡＭ１１３をワークエリアとして使用しながら前記プログラムコードによって定義されたプログラムを実行し、各部を制御する。画像形成装置制御部１１０には、感光体などの作像部で使用されるモータ、給紙部、給紙搬送路、両面搬送路等における各種モータやクラッチなどの各種直流負荷１５０、各種交流負荷１７０、定着ローラの温度を検出する温度センサなどの各種センサ１６０が接続されている。また、画像読み取り装置１８０、及び操作表示部１４０が接続され、画像形成装置制御部１１０を介して各部が制御される。
【００２６】
用紙積載装置ＳＫの制御は、前述のように用紙積載装置制御部１００によって実行されるが、制御のためのプログラムコードはＲＯＭ１０２に格納され、ＣＰＵ１０１はプログラムコードをＲＡＭ１０３に展開し、制御に必要なデータをＲＡＭ１０３に記憶し、当該ＲＡＭ１０３をワークエリアとして使用しながら前記プログラムコードによって定義される制御を実行し、各種直流負荷１２０の制御を行っている。各種直流負荷１２０としては、例えば第１及び第２の排紙ローラＲ１，Ｒ２を駆動する排紙モータ、送風ファンＦ２を駆動する送風モータ、可動ルーバＬを駆動するパルスモータＭ、用紙積載トレイＴを昇降させる昇降モータ等々がある。
【００２７】
画像形成装置ＰＲと用紙積載装置ＳＫは、前述のようにシリアルＩ/Ｆ１１５及び１０４を介して用紙積載制御に必要なコマンドを送受し、用紙積載装置ＳＫのＣＰＵ１０１は該コマンド及び搬送センサＳＮ１を含む各種センサ１３０から得られる用紙位置情報により、第１及び第２の排紙ローラＲ１，Ｒ２の駆動制御、用紙積載トレイＴの高さ位置の制御（昇降制御）、送風モータの駆動制御、パルスモータＭの駆動制御を含む各種制御、及び後述の各実施例における制御手順を実行する。
【実施例１】
【００２８】
図１６は実施例１における制御手順を示すフローチャートである。実施例１では、排出紙の排出量に応じて空気を送り込む位置あるいは方向を変更する制御、及び当該制御を実行する際の変更速度を可変制御する。
【００２９】
同図において、所定枚数を排紙積載する１つのジョブが開始され、搬送センサＳＮ１が用紙（排出紙Ｐ２）先端を検知すると（ステップＳ１：ＹＥＳ）、送風を開始する（ステップＳ２）。このときの送風量若しくは送風速度は予め設定されている。また、先端検知をトリガとしてタイムカウントを開始し（ステップＳ３）、第２の排紙ローラＲ２の周速とカウントした時間から排出紙Ｐ２の排出量（第２の排紙ローラＲ２からの排出紙Ｐ２の突出量）を計算する（ステップＳ４）。
【００３０】
そして、初期位置から送風位置の外側への移動、又は送風方向の外側へ移動を開始する位置まで排出紙Ｐ２が搬送されるのを待ち（ステップＳ５：ＹＥＳ）、前記開始する位置に達したら排出紙Ｐ２の排出量に応じて可動ルーバＬの向きを制御する速度を決定し、決定した速度で可動ルーバＬの向きを制御して送風位置を排出紙Ｐ２の外側に移動させ、あるいは送風方向を排出紙Ｐ２のより外側に経時的に変化させる（ステップＳ６−１）。そして、排出紙Ｐ２が排紙完了となる搬送量移動したかどうかをステップＳ４のようにして計算して判定し、搬送量移動した時点で、言い換えれば排出紙Ｐ２の後端が第２の排紙ローラＲ２対から出た時点で（ステップＳ７：ＹＥＳ）、可動ルーバＬの向きを制御して送風位置又は送風方向を初期位置に戻し（ステップＳ８）、ジョブが終了したかどうかを判定する。ジョブが終了していなければ（ステップＳ９：ＮＯ）、ステップＳ１からの処理を繰返し、ジョブが終了していれば（ステップＳ１０）、送風を終了して（ステップＳ１０）この処理から抜ける。
【００３１】
このように処理することにより、排出紙Ｐ２の排出中は、積載紙Ｐ１あるいは積載面Ｐ１ａとの吸着防止のために排出紙Ｐ２の排出方向に沿って送風し（図６（ａ）、図７（ａ））、排出紙Ｐ２の排出後、積載紙Ｐ１あるいは積載面Ｐ１ａまで落下する間（図６（ｂ），（ｃ）、図７（ｂ），（ｃ））に送風位置（Ｄ６，Ｄ７）あるいは送風方向（Ｄ３，Ｄ４）を外側に移動して行くことができるように、送風位置又は送風方向を排出紙の排出量によって決定する（ステップＳ６−１）。このとき、送風位置又は送風方向を変える速さを搬送量に応じて可変制御することにより、早く効率よく落下中の排出紙Ｐ２から空気を抜くことができる。
【実施例２】
【００３２】
図１７は実施例２における制御手順を示すフローチャートである。実施例２では、排出紙の排出速度に応じて空気を送り込む位置あるいは方向を変更する制御、及び当該制御を実行する際の変更速度を可変制御する。
【００３３】
同図において、ステップＳ１からステップＳ５までは図１６のフローチャートと同様に処理し、初期位置から送風位置の外側への移動、又は送風方向の外側へ移動を開始する位置に排出紙Ｐ２が達したら、排出量に応じて可動ルーバＬの向きを制御する速度を決定し、決定した速度で可動ルーバＬの向きを制御して送風位置又は送風方向を排出紙Ｐ２の排出速度に合わせて外側に移動させる（ステップＳ６−２）。すなわち、排出速度が速ければ、送風位置又は送風方向を速く外側に移動させる。
【００３４】
その後、図１６のフローチャートにおけるステップＳ７ないし１０の処理を実行し、この処理から抜ける。
【００３５】
このように処理することにより、排出紙Ｐ２の排出中は、積載紙Ｐ１あるいは積載面Ｐ１ａとの吸着防止のために排出紙Ｐ２の排出方向に沿って送風し（図６（ａ）、図７（ａ））、排出紙Ｐ２の排出後、積載紙Ｐ１あるいは積載面Ｐ１ａまで落下する間（図６（ｂ），（ｃ）、図７（ｂ），（ｃ））に送風位置（Ｄ６，Ｄ７）や送風方向（Ｄ３，Ｄ４）を外側に移動して行くことができるように、送風位置又は送風方向を排出紙の排出速度によって決定する（ステップＳ６−１）。このとき送風位置又は送風方向を変える速さを排出速度によって可変制御することにより、早く効率よく落下中の排出紙Ｐ２から空気を抜くことができる。
【実施例３】
【００３６】
図１８は実施例３における制御手順を示すフローチャートである。実施例３では、排出紙の排出量に応じて空気を送り込む位置あるいは方向を変更する制御を実行する際に必要最小限の量だけ動くように送風位置又は送風方向を決定し、さらに、このときの送風位置又は送風方向を変更する速度を可変制御する。
【００３７】
同図において、図１からステップＳ５までは図１６のフローチャートと同様に処理し、初期位置から送風位置の外側への移動、又は送風方向の外側へ移動を開始する位置に排出紙Ｐ２が達したら、排出量に応じて可動ルーバＬの向きを制御する速度を決定し、決定した速度で可動ルーバＬの向きを制御して送風位置又は送風方向を排出紙Ｐ２の排出量（又は排出速度）に合わせて外側に移動させる。このとき、用紙サイズに応じて移動終了位置が決定される（ステップＳ６−３）。
【００３８】
その後、図１６のフローチャートにおけるステップＳ７ないし１０の処理を実行し、この処理から抜ける。
【００３９】
このように処理することにより、排出紙Ｐ２の排出中は、積載紙Ｐ１あるいは積載面Ｐ１ａとの吸着防止のために排出紙Ｐ２の排出方向に沿って送風し（図６（ａ）、図７（ａ））、排出紙Ｐ２の排出後、積載紙Ｐ１あるいは積載面Ｐ１ａまで落下する間（図６（ｂ），（ｃ）、図７（ｂ），（ｃ））に送風位置（Ｄ６，Ｄ７）や送風方向（Ｄ３，Ｄ４）を外側に移動して行く際に、必要最小限の量だけ動くことにより、連続して排出される用紙の生産性が落ちないように送風位置又は方向を用紙サイズによって決定する。このとき、送風位置又は送風方向を変える速さも用紙サイズによって可変制御することにより、早く効率よく落下中の排出紙Ｐ２から空気を抜くことができる。なお、排出紙Ｐ２の用紙サイズは画像形成装置ＰＲのＣＰＵ１１１から用紙積載装置ＳＫのＣＰＵ１０１に紙種、紙厚などの用紙情報として通知され、ＣＰＵ１０１は通知された用紙情報に含まれる用紙サイズ情報に基づいてステップＳ６−３における移動終了位置を決定する。
【００４０】
その後、図１６のフローチャートにおけるステップＳ７ないし１０の処理を実行し、この処理から抜ける。
【実施例４】
【００４１】
図１９は実施例３における制御手順を示すフローチャートである。実施例４では、実施例１に対して風量を可変制御する手順をさらに追加したものである。
【００４２】
同図において、ステップＳ１からステップＳ６−１までは図１６に示した制御手順と同様に処理して送風位置又は送風方向を排出紙Ｐ２の外側に移動させる。その際、送風位置又は送風方向が外側に移動するに従って風量を減少させ（ステップＳ６−４）、排出紙Ｐ２の後端が第２の排紙ローラＲ２から出た時点で（ステップＳ７：ＹＥＳ）、可動ルーバＬの向きを制御して送風位置又は送風方向を初期位置に戻し（ステップＳ８）、さらに減少していた風量を元の風量に戻す（ステップＳ６−５）。その後、ジョブが終了したかどうかを判定する。ジョブが終了していなければ（ステップＳ９：ＮＯ）、ステップＳＳ１からの処理を繰返し、ジョブが終了していれば（ステップＳ１０）、送風を終了して（ステップＳ１０）この処理から抜ける。
【００４３】
このように処理することにより、排出紙Ｐ２の排出中は、積載紙Ｐ１あるいは積載面Ｐ１ａとの吸着防止のために排出紙Ｐ２の排出方向に沿って送風し（図６（ａ）、図７（ａ））、排出紙Ｐ２の排出後、積載紙Ｐ１あるいは積載面Ｐ１ａまで落下する間（図６（ｂ），（ｃ）、図７（ｂ），（ｃ））に送風位置（Ｄ６，Ｄ７）や送風方向（Ｄ３，Ｄ４）を外側に移動して行く間に送り込む空気量を徐々に減少させることにより、早く効率よく落下中の排出紙から空気を抜くことができる。
【００４４】
なお、図１８のステップＳ６−３では、用紙サイズを用紙情報から得て処理しているが、図１６ないし図１９に示した処理手順において、送風量及び送風速度の初期値も用紙サイズ、用紙の厚さなどの用紙情報に応じて設定することも可能である。
【００４５】
以上のように、本実施形態によれば、
１）排出紙Ｐ２と積載面Ｐ１ａとの間、あるいは排出紙Ｐ２と積載紙Ｐ１との間に空気を送り込むことにより、排出紙Ｐ２と積載面Ｐ１ａ、あるいは排出紙Ｐ２と積載紙Ｐ１との吸着を防止することができる。  
２）前記吸着を防止することができるので、排出紙の排出性を向上させることができる。
３）第２の排紙ローラＲ２を後端が通過して落下中の排出紙Ｐ２と積載面Ｐ１ａ、あるいは排出紙Ｐ２と積載紙Ｐ１との間に送り込む空気の流れの向き、位置、風量などを制御することにより、排出紙Ｐ２と積載面Ｐ１ａあるいは排出紙Ｐ２と積載紙Ｐ１との間の空気が抜けやすいようにすることができる。  
４）前述のように空気が抜けやすいので、排出紙Ｐ２の落下中の姿勢をなるべく崩さずに排出紙Ｐ２を落下させることができる。  
５）また、前述のように空気が抜けやすいので、落下中の排出紙Ｐ２が積載面Ｐ１ａあるいは積載紙Ｐ１上に落ちやすくなり、積載品質の悪化を防止することができる。  
などの効果を奏する。
【００４６】
なお、特許請求の範囲における積載手段は本実施形態では用紙積載トレイＴに、排出紙は符号Ｐ２に、積載紙は符号Ｐ１に、送風手段はダクトＦ１、送風ファンＦ２及び送風ファンＦ２を駆動する駆動モータに、制御手段はＣＰＵ１０１に、可動ルーバは符号Ｌに、用紙積載装置は符号ＳＫに、画像形成システムは画像形成装置ＰＲと用紙積載装置ＳＫからなるシステムに、それぞれ対応する。
【００４７】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲記載された技術範囲に含まれる。
【符号の説明】
【００４８】
１０１  ＣＰＵ
Ｆ１  ダクト
Ｆ２  送風ファン
Ｌ  可動ルーバ
Ｐ１  積載紙
Ｐ２  排出紙
ＰＲ  画像形成装置
ＳＫ  用紙積載装置
Ｔ  用紙積載トレイ
【先行技術文献】
【特許文献】
【００４９】
【特許文献１】特開２０１０−１３２３７２号公報
【図１】
2013180838.tif 000003
【図２】
2013180838.tif 000004
【図３】
2013180838.tif 000005
【図４】
2013180838.tif 000006
【図５】
2013180838.tif 000007
【図６】
2013180838.tif 000008
【図７】
2013180838.tif 000009
【図８】
2013180838.tif 000010
【図９】
2013180838.tif 000011
【図１０】
2013180838.tif 000012
【図１１】
2013180838.tif 000013
【図１２】
2013180838.tif 000014
【図１３】
2013180838.tif 000015
【図１４】
2013180838.tif 000016
【図１５】
2013180838.tif 000017
【図１６】
2013180838.tif 000018
【図１７】
2013180838.tif 000019
【図１８】
2013180838.tif 000020
【図１９】
2013180838.tif 000021